(57)【要約】マルチ・チャネル、マルチ・トーン方式の伝送を改善する技術が開示されている。本発明の一実施例によれば、少なくとも2つの接続チャネル経由でデータを送信する方法が開示されおり、少なくとも2つの接続チャネルの各々は、複数のトーンを備えている。この方法は、第1の接続チャネル中の第１のトーン経由と、第2の接続チャネル中の第2のトーン経由で、第1の信号ストリームを送信し、この場合、上述の第1のトーンは第2のトーンに接続され、第1のトーンと第2のトーン経由の送信は実質的にパラレル送信されるステップと；第1の接続チャネル中の第３トーン経由で第2の信号ストリームを送信するステップと；第2の接続チャネル中の第４トーン経由で第３の信号ストリームを送信し、この場合、上述の第３トーンは第４トーンに接続され、第２の信号ストリームと第３の信号ストリームは実質的にパラレル送信されるステップ；とで構成されている。
2007525071.tif 000002
【特許請求の範囲】
【請求項１】
少なくとも2つの接続チャネル経由でデータを送信する方法であって、少なくとも2つの接続チャネルの各々が、複数のトーンを備えている送信方法において：
第1の接続チャネル中の第１のトーン経由と、第2の接続チャネル中の第2のトーン経由で、第1の信号ストリームを送信し、前記第1のトーンは前記第2のトーンに接続され、該第1のトーンと該第2のトーン経由の前記送信は実質的にパラレル送信されるステップと；
第1の接続チャネル中の第３トーン経由で第2の信号ストリームを送信するステップと；
第2の接続チャネル中の第４トーン経由で第３の信号ストリームを送信し、前記第３トーンは前記第４トーンに接続され、前記第２の信号ストリームと前記第３の信号ストリームは実質的にパラレル送信されるステップ；とで構成されていることを特徴とする送信方法。
【請求項２】
前記第１のトーンと前記第２のトーン経由の前記第１の信号ストリームの伝送はダイバーシチ技術に基づいており、そして第２の信号ストリームと第３の信号ストリームの前記伝送は、多重化技術に基づいていることを特徴とする請求項１記載の送信方法。
【請求項３】
更に、前記ダイバーシチ技術に基づいて第１の複数のデータを送信するために、前記複数のトーンの第１のサブセットを認識し、かつ前記多重化技術に基づいて第２の複数のデータを送信するために、前記複数のトーンの第２のサブセットを認識するステップを有することを特徴とする請求項２記載の送信方法。
【請求項４】
前記少なくとも２つの接続されたチャネルが、
物理的媒体と；
無線仮想チャネル；の少なくとも一つで構成されていることを特徴とする請求項１記載の送信方法。
【請求項５】
少なくとも2つの接続チャネル経由でデータを受信する方法であって、少なくとも2つの接続チャネルの各々は、複数のトーンで構成されている受信方法において：
第1の信号ストリームを第1のデータ・ストリームへ変換し、該第1の信号ストリームは第1の接続チャネル中の第1トーン経由と第2の接続チャネル中の第2トーン経由でパラレルに受信されており、前記第1のトーンは前記第2のトーンに接続されているステップと；
第2の信号ストリームを第2のデータ・ストリームに変換し、該第２の信号ストリームは前記第1の接続チャネル中の第３トーン経由で受信されているステップと；そして
第３の信号ストリームを第３のデータ・ストリームに変換し、該第３の信号ストリームは第２の接続チャネル中の第４トーン経由で受信しており、前記第３のトーンは前記第４トーンと接続されており、前記第２の信号ストリームと前記第３の信号ストリームの受信は、実質的にパラレルであるステップ；とで構成されていることを特徴とする受信方法。
【請求項６】
前記第１のトーンと前記第２のトーン経由の前記第１の信号ストリームの受信はダイバーシチ技術に基づいており、そして前記第２の信号ストリームと前記第３の信号ストリームの前記受信は、多重化技術に基づいていることを特徴とする請求項５記載の受信方法。
【請求項７】
更に、前記ダイバーシチ技術に基づいて第１の複数のデータを受信するために、前記複数のトーンの第１のサブセットを認識し、かつ前記多重化技術に基づいて第２の複数のデータを受信するために、前記複数のトーンの第２のサブセットを認識するステップを有することを特徴とする請求項６記載の受信方法。
【請求項８】
前記少なくとも２つの接続されたチャネルが、
物理的媒体と；
無線仮想チャネル；の少なくとも一つで構成されていることを特徴とする請求項５記載の受信方法。
【請求項９】
少なくとも2つの接続チャネル経由でデータを送信する送信端末であって、少なくとも2つの接続チャネルの各々は、複数のトーンを備えている送信端末において：
データを複数の信号ストリームへ送信のために変換する手段と；
第1の接続チャネル中の第１のトーン経由と、第2の接続チャネル中の第2のトーン経由で、第1の信号ストリームを送信する手段であり、前記第1のトーンは前記第2のトーンに接続され、前記第1のトーンと前記第2のトーン経由の送信は実質的にパラレル送信される送信手段と；
前記第1の接続チャネル中の第３トーン経由で第2の信号ストリームを送信する手段と；
前記第２の接続チャネル中の第４トーン経由で第３の信号ストリームを送信する手段であり、前記第３トーンは前記第４トーンに接続され、前記第２の信号ストリームと前記第３の信号ストリームは実質的にパラレル送信される送信手段；とで構成されていることを特徴とする送信端末。
【請求項１０】
前記第１のトーンと前記第２のトーン経由の前記第１の信号ストリームの伝送はダイバーシチ技術に基づいており、そして第２の信号ストリームと第３の信号ストリームの前記伝送は、多重化技術に基づいていることを特徴とする請求項９記載の送信端末。
【請求項１１】
更に、前記ダイバーシチ技術に基づいて第１の複数のデータを送信するために、前記複数のトーンの第１のサブセットを用い、かつ前記多重化技術に基づいて第２の複数のデータを送信するために、前記複数のトーンの第２のサブセットを用いるように構成されたことを特徴とする請求項１０記載の送信端末。
【請求項１２】
前記少なくとも２つの接続されたチャネルが、
物理的媒体と；
無線仮想チャネル；の少なくとも一つで構成されていることを特徴とする請求項９記載の送信端末。
【請求項１３】
少なくとも2つの接続チャネル経由でデータを受信する受信端末であって、少なくとも2つの接続チャネルの各々は、複数のトーンを備えている受信端末において：
第1の信号ストリームを第1のデータ・ストリームへ変換する手段であり、前記第1の信号ストリームは第1の接続チャネル中の第1トーン経由と第2の接続チャネル中の第2トーン経由でパラレルに受信されており、前記第1のトーンは前記第2のトーンに接続されている変換手段と；
第2の信号ストリームを第2のデータ・ストリームに変換する手段であり、前記第２の信号ストリームは前記第1の接続チャネル中の第３トーン経由で受信されている変換手段と；そして
第３の信号ストリームを第３のデータ・ストリームに変換する手段であり、前記第３の信号ストリームは前記第２の接続チャネル中の第４トーン経由で受信しており、前記第３のトーンは前記第４トーンと接続されており、前記第２の信号ストリームと前記第３の信号ストリームの前記受信は、実質的にパラレルである変換手段；とで構成されていることを特徴とする受信端末。
【請求項１４】
前記第１のトーンと前記第２のトーン経由の前記第１の信号ストリームの受信はダイバーシチ技術に基づいており、そして前記第２の信号ストリームと前記第３の信号ストリームの前記受信は、多重化技術に基づいていることを特徴とする請求項13記載の受信端末。
【請求項１５】
更に、前記ダイバーシチ技術に基づいて第１の複数のデータを受信するために、前記複数のトーンの第１のサブセットを用い、かつ前記多重化技術に基づいて第２の複数のデータを受信するために、前記複数のトーンの第２のサブセットを用いるように構成されたことを特徴とする請求項１４記載の受信端末。
【請求項１６】
前記少なくとも２つの接続されたチャネルが、
物理的媒体と；
無線仮想チャネル；の少なくとも一つで構成されていることを特徴とする請求項１３記載の受信端末。
【請求項１７】
前記第１、第２、第３データ・ストリームを復多重化するための手段を更に有することを特徴とする請求項13記載の受信端末。
【請求項１８】
少なくとも2つの接続チャネル経由でデータをプロセッサに送信させるコンピュータ読み取り媒体であって、少なくとも2つの接続チャネルの各々は、複数のトーンを備えているコンピュータ読み取り媒体において：
第1の接続チャネル中の第１のトーン経由と、第2の接続チャネル中の第2のトーン経由で、第1の信号ストリームを送信するコードであり、前記第1のトーンは前記第2のトーンに接続され、前記第1のトーンと前記第2のトーン経由の前記送信は実質的にパラレル送信されるコードと；
前記第1の接続チャネル中の第３トーン経由で第2の信号ストリームを送信するコードと；
前記第2の接続チャネル中の第４トーン経由で第３の信号ストリームを送信するコードであり、前記第３トーンは前記第４トーンに接続され、前記第２の信号ストリームと前記第３の信号ストリームは実質的にパラレル送信されるコード；とで構成されていることを特徴とするコンピュータ読み取り媒体。
【請求項１９】
前記第１のトーンと前記第２のトーン経由の前記第１の信号ストリームの伝送はダイバーシチ技術に基づいており、そして第２の信号ストリームと第３の信号ストリームの前記伝送は、多重化技術に基づいていることを特徴とする請求項１８記載のコンピュータ読み取り媒体。
【請求項２０】
更に、前記ダイバーシチ技術に基づいて第１の複数のデータを送信するために、前記複数のトーンの第１のサブセットを用い、かつ前記多重化技術に基づいて第２の複数のデータを送信するために、前記複数のトーンの第２のサブセットを用いるように構成されたことを特徴とする請求項１９記載のコンピュータ読み取り媒体。
【請求項２１】
前記少なくとも２つの接続されたチャネルが、
物理的媒体と；
無線仮想チャネル；の少なくとも一つで構成されていることを特徴とする請求項１９記載のコンピュータ読み取り媒体。
【請求項２２】
少なくとも2つの接続チャネル経由でデータをプロセッサに受信させるコンピュータ読み取り媒体であって、少なくとも2つの接続チャネルの各々は、複数のトーンを備えているコンピュータ読み取り媒体において：
第1の信号ストリームを第1のデータ・ストリームへ変換するコードであり、前記第1の信号ストリームは第1の接続チャネル中の第1トーン経由と第2の接続チャネル中の第2トーン経由でパラレルに受信されており、前記第1のトーンは前記第2のトーンに接続されているコードと；
第2の信号ストリームを第2のデータ・ストリームに変換するコードであり、前記第２の信号ストリームは前記第1の接続チャネル中の第３トーン経由で受信されているコードと；そして
第３の信号ストリームを第３のデータ・ストリームに変換するコードであり、前記第３の信号ストリームは前記第２の接続チャネル中の第４トーン経由で受信しており、前記第３のトーンは前記第４トーンと接続されており、前記第２の信号ストリームと前記第３の信号ストリームの前記受信は、実質的にパラレルであるコード；であることを特徴とするコンピュータ読み取り媒体。
【請求項２３】
前記第１のトーンと前記第２のトーン経由の前記第１の信号ストリームの受信はダイバーシチ技術に基づいており、そして前記第２の信号ストリームと前記第３の信号ストリームの前記受信は、多重化技術に基づいていることを特徴とする請求項２２記載のコンピュータ読み取り媒体。
【請求項２４】
更に、前記ダイバーシチ技術に基づいて第１の複数のデータを受信するために、前記複数のトーンの第１のサブセットを用い、かつ前記多重化技術に基づいて第２の複数のデータを受信するために、前記複数のトーンの第２のサブセットを用いるように構成されたことを特徴とする請求項２３記載のコンピュータ読み取り媒体。
【請求項２５】
前記少なくとも２つの接続されたチャネルが、
物理的媒体と；
無線仮想チャネル；の少なくとも一つで構成されていることを特徴とする請求項２２記載のコンピュータ読み取り媒体。
【発明の詳細な説明】
【技術分野】
【０００１】
本発明は一般的に電気通信に関し、より厳密には本発明はマルチ・チャネル、マルチ・トーン送信を改良する技術に関する。
【０００２】
この特許出願は2003年6月24日に出願した米国仮特許出願、特許出願番号第60/480,769号の優先権を主張する。その発明の名称は、「Multitone  Transmission  Using  Both  Multiplexing  And  Diversity  On  A  Paired-Tone  Basis」である。そして、その出願内容は、全て本願明細書において引用する。
【背景技術】
【０００３】
デジタル加入者線（DSL）および無線システムは、しばしば、例えば近端漏話(near  end  cross  talk（NEXT）)、遠端クロストーク(far  end  cross  talk（FEXT）)、無線干渉（RFI）、遠距離による減衰、およびブリッジタップによるノイズ、等を含む種々の信号障害により影響されやすい。これらの障害の一部または全てを減少させたり、或いは除去しようとして、多くの技術が開発されてきた。しかしながら、さまざまな理由のために、概して全種類の障害を満足いく程度には減少させられない点で、または高価でかつ扱い難いという点で、或いはその両方の理由で、これらの技術は制限されている。
【０００４】
非同期DSL（ADSL）の信号障害を減らすために開発された技術には、ベクトルまたはマルチ入力、の実行を含む、マルチ出力（MIMO）ベースのブロードバンド・アクセス・アーキテクチャの実行が含まれる。ベクトル・ベースの技術は、接続された装置間でダイナミックスペクトル配分を行い、中央局（CO）NEXTおよびFEXTのマトリクス・キャンセルの監視を行う。しかしながら、ベクトル・ベースの技術は、しばしば不合理な仮説、例えば全ての顧客の顧客端末装置（CPE）が少なくとも一つの他のCPEに接続しているという仮定や、割当スペクトルがスペクトル互換性規則に対して急速に確認されるという仮定や、更にマスクのエッジに僅かな修正を行って標準化するのにかなりの時間を要するにもかかわらず、割当マスクが標準化されるという仮定等を、実行し、かつそれらの仮説に依存するために高価である。さらに、ベクトル・ベースの技術は、概して、CPEが相互に接続していない場合のCPEクロストーク、RFIおよびブリッジタップ等によって生じる障害を減少させるのには十分対応していない。
【０００５】
例えば、ボンディングは、例えばG.  SHDL（別名ITU  G.  991.2）のような単一キャリア・システムにおいて通常使用される他の技術である。ボンディングは概して、2つ以上のチャネル（例えば電話線経由）を通じて並列に信号・ペイロードを送信するステップを含んでいる。送信された信号ストリームを伝達するのを改良するために、ダイバーシチ技術が接続した物理的チャネルと共に用いられ、或いは多重化技術がこれらの送信信号ストリーム率を改良するために用いられる。一般にこのダイバーシチ技術では、伝送信号の堅牢性を改良するためにマルチ・チャネルによってシェアーされるある形態の空間冗長性が使用され、それによって、同じ信号が接続チャネルを通じて送信され、その受信された信号が、送信された実際の信号の推定で到着した送信先で比較される。例えばスペース・タイム・エンコーディング技術またはジョイント・検出アルゴリズムといった様々な技術が、このダイバーシチ技術を実行するために用いられる。これに反して、多重化技術（また一般には無線通信コンテンツ中の“BLAST”）は、各々の接続チャネル経由で別々の信号ストリームを並列伝送することが出来る。個々の信号ストリームは、その後、単一の信号ストリームを形成するために送信先で復多重化される。多重化技術は信号障害により影響されやすい一方、多重化技術は送信効率を増加させて、ダイバーシチ技術を使用することで、重大な信号障害がある場合の堅牢性を提供することが所定のコストで出来ると認識されている。多重化技術の目的と実行が、しばしばダイバーシチ技術のそれらと異なるために、従来のデータ伝送システムでは、概して多重化技術およびダイバーシチ技術の利益を得ることが出来ない問題点を有する。
【発明の開示】
【０００６】
本発明によれば、既知の上述の限界や、その他の非特定的欠陥を緩和または解決することが可能である。本発明に伴う多くの効果は、設計と資源の経済性、透明なオペレーション、省コスト、その他の点で、当業者には直ちに明らかである。
【０００７】
本願明細書には、マルチ・チャネルのデータ伝送やマルチキャリア伝送システムの為の数々の例示的な構成が開示されている。送信端末は2つ以上の接続チャネルによって受信端末に接続され、その各接続チャネルの周波数伝送帯域幅は、周波数サブバンド又は「トーン」に分割されている。DMT、OFDMまたは類似する多重搬送波伝送技術を使用して、他の複数のトーン上の信号ストリームと並列に、この各トーンは信号ストリームを送信するために用いられる。ある一つのトーンのための信号障害が重大でない場合には、多重化技術はそのトーンに実行され、異なる信号ストリームが各接続チャネルのためにそのトーンを通じて送信される。そして仮に重大な信号障害がそのトーンに存在する場合には、ダイバーシチ技術がそのトーンに実行され、同じ信号ストリームが各接続チャネルのためにそのトーンを通じて送信されることになる。この冗長性により、重大な通信干渉がある場合にも、正確に送信信号ストリームを再構築することができる。
【０００８】
本発明の一実施例によれば、少なくとも2つの接続チャネル経由でデータを送信する方法が開示されおり、少なくとも2つの接続チャネルの各々は、複数のトーンを備えている。この方法は、第1の接続チャネル中の第１のトーン経由と、第2の接続チャネル中の第2のトーン経由で、第1の信号ストリームを送信し、この場合、上述の第1のトーンは第2のトーンに接続され、第1のトーンと第2のトーン経由の送信は実質的にパラレル送信されるステップと；第1の接続チャネル中の第３トーン経由で第2の信号ストリームを送信するステップと；第2の接続チャネル中の第４トーン経由で第３の信号ストリームを送信し、この場合、上述の第３トーンは第４トーンに接続され、第２の信号ストリームと第３の信号ストリームは実質的にパラレル送信されるステップ；とで構成されている。
【０００９】
本発明の他の実施例によれば、少なくとも2つの接続チャネル経由でデータを受信する方法が開示されており、少なくとも2つの接続チャネルの各々は、複数のトーンを備えている。この受信方法は、第1の信号ストリームを第1のデータ・ストリームへ変換し、この場合、この第1の信号ストリームは第1の接続チャネル中の第1トーン経由と第2の接続チャネル中の第2トーン経由でパラレルに受信されており、この第1のトーンは第2のトーンに接続されているステップと；第2の信号ストリームを第2のデータ・ストリームに変換し、この第２の信号ストリームは第1の接続チャネル中の第３トーン経由で受信されているステップと；そして第３の信号ストリームを第３のデータ・ストリームに変換し、この第３の信号ストリームは第２の接続チャネル中の第４トーン経由で受信しており、第３のトーンは第４トーンと接続されており、第２の信号ストリームと第３の信号ストリームの受信は、実質的にパラレルであるステップ；とで構成されている。
【００１０】
本発明の更にもう一つの実施例によれば、少なくとも2つの接続チャネル経由でデータを送信する送信端末が開示されており、少なくとも2つの接続チャネルの各々は、複数のトーンを備えている。この送信端末は、データを複数の信号ストリームへ送信のために変換する手段と；第1の接続チャネル中の第１のトーン経由と、第2の接続チャネル中の第2のトーン経由で、第1の信号ストリームを送信する手段であり、この場合、上述の第1のトーンは第2のトーンに接続され、第1のトーンと第2のトーン経由の送信は実質的にパラレル送信される送信手段と；第1の接続チャネル中の第３トーン経由で第2の信号ストリームを送信する手段と；第2の接続チャネル中の第４トーン経由で第３の信号ストリームを送信する手段であり、この場合、上述の第３トーンは第４トーンに接続され、第２の信号ストリームと第３の信号ストリームは実質的にパラレル送信される送信手段；とで構成されている。
【００１１】
本発明の付加的な実施例によれば、少なくとも2つの接続チャネル経由でデータを受信する受信端末が開示されており、少なくとも2つの接続チャネルの各々は、複数のトーンを備えている。この受信端末は、第1の信号ストリームを第1のデータ・ストリームへ変換する手段であり、この場合、この第1の信号ストリームは第1の接続チャネル中の第1トーン経由と第2の接続チャネル中の第2トーン経由でパラレルに受信されており、この第1のトーンは第2のトーンに接続されている変換手段と；第2の信号ストリームを第2のデータ・ストリームに変換する手段であり、この第２の信号ストリームは第1の接続チャネル中の第３トーン経由で受信されている変換手段と；そして第３の信号ストリームを第３のデータ・ストリームに変換する手段であり、この第３の信号ストリームは第２の接続チャネル中の第４トーン経由で受信しており、第３のトーンは第４トーンと接続されており、第２の信号ストリームと第３の信号ストリームの受信は、実質的にパラレルである変換手段；とで構成されている。
【００１２】
本発明のさらにもう一つの実施例によれば、少なくとも2つの接続チャネル経由でデータをプロセッサに送信させるコンピュータ読み取り媒体が開示されており、少なくとも2つの接続チャネルの各々は、複数のトーンを備えている。このコンピュータ読み取り媒体は、第1の接続チャネル中の第１のトーン経由と、第2の接続チャネル中の第2のトーン経由で、第1の信号ストリームを送信するコードであり、この場合、上述の第1のトーンは第2のトーンに接続され、第1のトーンと第2のトーン経由の送信は実質的にパラレル送信されるコードと；第1の接続チャネル中の第３トーン経由で第2の信号ストリームを送信するコードと；第2の接続チャネル中の第４トーン経由で第３の信号ストリームを送信するコードであり、この場合、上述の第３トーンは第４トーンに接続され、第２の信号ストリームと第３の信号ストリームは実質的にパラレル送信されるコード；とで構成されている。
【００１３】
本発明のさらに付加的な実施例によれば、少なくとも2つの接続チャネル経由でデータをプロセッサに受信させるコンピュータ読み取り媒体が開示されており、少なくとも2つの接続チャネルの各々は、複数のトーンを備えている。このコンピュータ読み取り媒体は、第1の信号ストリームを第1のデータ・ストリームへ変換するコードであり、この場合、この第1の信号ストリームは第1の接続チャネル中の第1トーン経由と第2の接続チャネル中の第2トーン経由でパラレルに受信されており、この第1のトーンは第2のトーンに接続されているコードと；第2の信号ストリームを第2のデータ・ストリームに変換するコードであり、この第２の信号ストリームは第1の接続チャネル中の第３トーン経由で受信されているコードと；そして第３の信号ストリームを第３のデータ・ストリームに変換するコードであり、この第３の信号ストリームは第２の接続チャネル中の第４トーン経由で受信しており、第３のトーンは第４トーンと接続されており、第２の信号ストリームと第３の信号ストリームの受信は、実質的にパラレルであるコード；とで構成されている。
【００１４】
なお更なる本発明の特徴および効果は、下記添付図面を参照にして詳細な説明で特定されている。本発明の目的および効果は、添付図面と関連させた以下の詳細な説明により当業者には明らかであり、参照符号は各構成要素を示すために用いられている。
【発明を実施するための最良の形態】
【００１５】
以下の記載は、per-tone(パートーン)ベースのマルチ・チャネル技術またはダイバーシチ技術を用いた多重データ搬送システム中のデータ送信に関する特定の複数の実施例と詳細技術事項を開示することで、本発明を理解し易くするためのものである。しかしながら本発明は、これらの特定実施例および詳細に限られていないと理解され、単に技術説明に過ぎない。さらに当業者であれば周知のシステム及び方法を参考にして、特定の設計および他のニーズに合わせて、いかなる他の実施例でもそれらの目的および利点のために本発明を利用することが可能であると考えられる。
【００１６】
図1から図5には、マルチ・システム、マルチ・キャリア・システムのデータを処理し送信するさまざまな例示的な構成が示されている。少なくとも一つの実施例においては、送信端末は、2つ以上の接続チャネルによって受信端末に接続されており、この場合、接続チャネルには、物理的に隔離した媒体、例えばツイストペア線、同軸ケーブル、または無線「仮想」チャネル、またはこれ等の組合せが含まれる。各々の接続チャネルの周波数伝送帯域幅は、周波数サブバンドまたは「トーン」に分割されており、各々のトーンはその後、種々の多重搬送波伝送技術、例えばDMTまたはOFDM、のいずれかを用いて他のトーン上の信号ストリームと並列に、信号ストリームを送信するために用いられる。
【００１７】
少なくとも一つの実施例においては、数個または全てのトーンは、重大な信号障害が存在しないかが調べられる。一つのトーンの信号障害が、周囲の状況下で軽度である場合には、多重化技術がそのトーンに対して実行され、それにより異なる信号ストリームが、そのトーンを経由して各々の接続チャネルのために送信される。そしてそのトーンの異なる信号ストリームの並列伝送は、それから受信端末で復多重化される。対照的に、もし一つのトーンの信号障害が、それを経由して送信される信号を損なうような重大なレベルである場合には、ダイバーシチ技術がそのトーンに対して実行され、同じ信号ストリームが各々の接続チャネルのためにそのトーンを経由して送信される。空間ダイバーシチ技術が、冗長性を持たせるためにダイバーシチ・モードのトーンを経由して信号ストリームが送信され、それによって、受信端末は仮に重大な通信障害がある場合にも、正確に送信された信号ストリームを再構築することが可能となる。
【００１８】
説明を簡単にするために、本発明のさまざまな例示的システムおよび技術は、2つの接続チャネルを有するDMTベースのシステムをベースとして以下に開示する。しかしながら、
当業者であれば、2つ以上の接続チャネルを有するマルチ・キャリア・システム、例えば3チャネル以上の接続チャネルを有するDMT、またはDMTに類似した技術を利用しているデータ伝送システムにも、例えばOFDMを使用している無線システム、ウェーブレット変換または他の一体的基礎的なアプローチ技術を用いて、本願例示システムおよび技術を、本発明の技術的思想または範囲から逸脱することなく利用することが可能となる。
【００１９】
図1には、ダイバーシチ技術および多重化技術の複合技術を少なくとも部分的に使用した改良型のデータ伝送特性を有する例示的データ伝送システム100が例示される。図1に示す実施例では、システム100には、送信端末106を有するデータ送信側102、および受信端末108を有するデータ受信側104が含まれる。データ送信側102およびデータ受信側104は、2つ以上の通信チャネル110A、110Bによってデータ伝送目的のために相互接続されている。データ送信側102には、多重搬送波データ伝送技術を使用して2つ以上の通信チャネル経由で送信データするのに適合する種々のデバイスが含まれる。同様に、データ受信側104には、このような方法で送信されるデータを受信するのに適合する種々のデバイスが含まれる。例示のために、データ送信側102には、例えばDSLアクセス・マルチプレクサ（DSLAM）が含まれ、そしてデータ受信側104には、例えばDSL顧客の顧客端末装置（CPE）（別名DSLモデム）が含まれ、このシステムでは、データは種々のマルチ・チャネル、多重搬送波技術、例えば、DMTまたはOFDM技術のいずれかを用いて、DSLAMおよびDSLのCPE間で通信が行われる。DMTベースのDSLシステムでは、2つ以上の通信チャネル110A、110Bの物理的構造には、例えばツイストペア線または同軸ケーブルが含まれる。しかしながらOFDMおよび類似したプロトコルを実行する無線システムでは、一つまたは複数個のチャネル110A、110Bには「仮想」チャネルが含まれる。これは、無線チャネルは、通常は物理的に明確なチャネルに分けられることが出来ず、その代わりにしばしば多重経路普及機能に依存するからである。
【００２０】
通信システムにおいては、データ伝送は概して双方向性である。従って、データ送信側102は、データ受信側104または他のデバイスから送信されるデータのためのデータ受信側であってもよいし、そして同様にデータ受信側104は、データ送信側102または他のデバイスのデータ送信側となってもよいと理解されるべきである。したがって、データ送信側102およびデータ受信側104には、送信端末106および受信端末108の両方（一般にトランシーバと呼称されている）を含むことができる。
【００２１】
少なくとも一つの実施例において送信端末106は、ダイバーシチ技術および多重化技術の利点を用いるDMTベースの通信技術を使用して、通信チャネル110A、110Bを経由して受信端末108にデータ伝送するために使用される。このDMTベースの技術は、本願明細書ではTwin  DMTまたはTWDMTと称す。上記の如く、接続チャネルの多重技術はしばしばデータ伝送率を改良することができるが、これは２つの異なる信号ストリームが２つの別々のチャネルを通じて送信されるためであり、それによって全体の伝送率を、約２倍にすることが可能となる。しかしながら多重化技術は、しばしば多重化技術をベースとする伝送技術の効果的領域を制限する信号障害に影響されやすい。対照的に、ダイバーシチ技術は通信領域を伸ばすことが可能であり、これは同じ信号ストリームが接続チャネルを経由して送信され、これにより受信端末はより正確に実際の信号ストリームを推定することが可能となるためである。しかしながら、2つ以上の接続チャネルが同じ信号ストリームを送信するために用いるので、データ伝送率は多重化技術を使用している場合ほどは高くない。したがって、少なくとも一つの実施例では、送信端末106は、比較的重大な信号障害である通信スペクトルのトーンにはダイバーシチ技術が用いられ、一方では比較的小さい信号障害のトーンには多重化技術が用いられる。その結果、多重化技術のデータ伝送率の利点、およびダイバーシチ技術の通信領域の利点が、伝送率および通信領域間の最適バランスを得るために、パートーンのベースで実行することが出来るようになる。
【００２２】
例示のために、図1には、通信チャネル110A、110Bの例示的な伝送周波数スペクトル120Aおよび120Bが示されている。スペクトル120Aにはトーン122A-134Aが含まれ、スペクトル120Bにはトーン122B-134Bが含まれ、そこにおいてはトーン122Aがトーン122Bに接続され、トーン124Aがトーン124Bに接続されている。他のトーンも同様である。上述の接続したトーンは、「twin  tones（ツイントーン）」と本明細書では称する。ある実施例においては、通信チャネル110Aは通信チャネル110Bの同じトーンと接続またはツインの関係である（すなわちツイントーンは同一の周波数サブバンドを有する）。しかしながら本発明の他の実施態様では、異なる周波数サブバンドのトーンを接続することも可能である。図の例では、トーン122A/122B、124A/124B、128A/128Bおよび134A/134Bは、例えばクロストークおよびRFIのような信号障害に実質的に影響を受けていると仮定されるのに対し、トーン126A/126B、130A/130Bおよび132A/132Bはそのような環境でも信号障害には比較的影響を受けていないと仮定している。したがって、送信端末106は、ツイントーン122A-122B、124A-124B、128A-128Bおよび134A-134Bで送信されるデータには１または複数個のダイバーシチ技術が実行され、ツイントーン126A-126B、130A-130Bおよび132A-132Bで送信されるデータには１または複数個の多重化技術を実行するために利用される。また受信端末108は、通信チャネル110A、110Bを経由して信号を受信し、データ受信側104または下位の他のデバイス用で使用出来るようなデータにその信号を変換する為に利用される。この送信端末106および受信端末108については、図3-図6でより詳細に述べる。
【００２３】
上記の如く、多重化技術は概して信号障害が比較的軽微である場合に適し、一方ダイバーシチ技術は比較的重大な信号障害を克服することを目的とする。したがって多重化技術かダイバーシチ技術の何れが、所定のツイントーンに対して最も適切なのかを選択するための種々の方法が実行される。好ましい実施例においては、あるトーンの１または複数の推定基準が測定され、そのトーンに重大な通信障害が存在するか否かを決定するために、１または複数の所定の閾値と個別に、あるいは複数個の組合せと、その測定値が比較される。この種の推定基準の実施例には、例えばそのトーンの信号と雑音比（ＳＮＲ）、そのトーンのノイズのクロス相関値、または他のサービス品質指標値（QoS）、等の信号障害に関するデータが含まれる。
【００２４】
１または複数個の測定された推定基準が比較する適当な１または複数個の閾値を決定する場合、システム100のさまざまな属性が考慮される。例示のために、一定のトーンにダイバーシチ技術か多重化技術のいずれかを使用するべきかを決定するための推定基準としてＳＮＲを使用する場合、多重化技術が使われる最小閾値ＳＮＲを決定する際には、例えば送信端末106および受信端末108の間の距離、信号・レート、使用されたエンコーディングのタイプ、周知のブリッジタップの存在、などのシステム100のさまざまなパラメータが考慮される。使用される特定の閾値は、変調のタイプおよびQoSに依存する。例えば14.5dBの最小限のＳＮＲが、2-ビット直交振幅変調（QAM）を使用するADSLでは、10-7のエラービット/秒のビットエラー率（BER）を確保することが必要である。したがって、この種のシステムでは、閾値として14.5dBのＳＮＲ値を使用することが有益であることが判る。
【００２５】
多重化モード又はダイバーシチ・モードに適するかのトーンの識別は、送信装置、受信装置のトレーニング段階で判別することがある。例えば送信端末106は、信号の周知のシーケンスを受信端末108に発信することが出来る。そしてこの場合、受信端末108は、多重化モードに不適当であるトーンを判別するために、実際に受信した信号シーケンスを受信すべき信号シーケンスと比較することが可能である。このトレーニング段階は、伝送環境の変化を識別するために、稼動中に周期的に繰り返して実行してもよい。多重化技術あるいはダイバーシチ技術に適しているトーンを識別するための他の方法も、本発明の技術的思想および技術範囲を逸脱することなく実行することが可能である。
【００２６】
図2および図3には、本発明の少なくとも一つの実施例に係る送信端末106の例示的な実施態様および送信端末106の例示的な動作300が例示されている。図示の実施例では、送信端末106には、エンコーダ202およびマッピング・モジュール204が含まれている。各々の通信チャネル処理パス220A、220B用に、送信端末は更に以下を含むことができる。すなわち逆高速フーリエ変換（IFFT）モジュール206A/206B、パラレル−シリアル（P/S）コンバータ208A/208B、１または複数個のフィルタ210A/210B、デジタル／アナログ（D/A）コンバータ212A/212B、低域フィルタ214A/214B、アナログ・フロントエンド（AFe）216A/216B、そして各通信チャネル110A、110Bの伝送媒体に接続したハイブリッド・インタフェース218A/218Bである。
【００２７】
送信端末106の構成要素は、ソフトウェア、ハードウェア、ファームウェア、又はそれらの組合せで実行可能である。例えば、エンコーダ202、マッピング・モジュール204、IFFT  206A/206B、P/Sコンバータ208A/208Bおよび／またはフィルタ210A/210Bは、後述する機能を実行するための１または複数個のプロセッサを操作するのに適している実行可能な命令の１または複数個のセットとして実行することが出来る。この１または複数個のプロセッサには、マイクロプロセッサまたは中央処理装置（CPU）、特定用途向け集積回路（ASIC）、デジタルシグナルプロセッサ（DSP）などが含まれる。D/A変換器212A/212B、低域フィルタ214A/214B、アナログ・フロントエンド216A/216Bおよびハイブリッド218A/218Bは、概してハードウェア・コンポーネントとして実行される。
【００２８】
以下に詳細に述べるように、各通信チャネルの信号ストリームが最適パフォーマンスと同期するように、各処理パスを同期させることが重要である。したがって送信端末106は、マスタークロック224を更に含むことができ、このタイム信号は送信端末106の他の１個または複数個のコンポーネントに供給されて使用される。更にマスタークロック224のこのタイム信号は、通信チャネル110A、110Bの1つ又は両方を経由して受信端末108へ送られ、種々のクロック同期技術のいずれかを用いて（例えば位相ロックループ（PLL）を用いて）、受信端末108のクロックをマスタークロック224に同期させる。
【００２９】
図3には、図2の送信端末106の例示的な動作が例示されている。ステップ302で、伝送データがエンコーダ202にビット列として供給され、このビット列は冗長ビットを含むようにエンコードされる。この冗長性は、概して生成された伝送信号に堅牢性を提供し、受信端末がより正確に送信されたビット列を再構築出来るようになる。データをエンコードするために種々の技術を実行することが出来る。例えばエンコーダ202には、以下の一つ又は複数個の組合せを利用するマルチレベルのエンコーダを含むことができる。すなわちスペース−ベースのエンコーディング、時間ベースのエンコーディング、インタリーブ、格子状エンコード変調（TCM）、リード・ソロモンエンコード、などである。結果として生成されたビット列は、ステップ304でマッピング・モジュール204に提供され、１または複数個のマッピング関数（別名変調関数）がそのビット列に掛けられる。有効に使用されるマッピング関数の実施例には、直交振幅変調（QAM）、位相シフトキーイング（PSK）、振幅シフトキーイング（ASK）、二進移相変調（BPSK）、周波数シフトキーイング（ＦＳＫ）、などが含まれる。
【００３０】
対応するIFFTモジュール206A/206Bへマッピング・モジュール204の出力を供給する前に、ある実施例では、スペース/時間・前処理が、ステップ306でその出力に実行される。この前処理には、2つ以上のチャネル間の通信干渉を補償するためにチャネル情報を、伝送すべき信号に挿入することが含まれ、それによって通信チャネルを相互に直交するようにする。例示すると、メインパスおよびクロスパスを含む通信チャネルの周波数応答は、per-bin（パービン）ベースのトレーニングの間に識別することが可能である。従って結果として生成した複素係数は、通信チャネル上で送信されるべき複素値に挿入することが可能となる。
【００３１】
ビット列に対するマッピング関数のアプリケーションは、概して複素値を生成することになり、各複素値は、対応するチャネルのそれぞれのトーンを経由して送信すべき信号となる。簡単な例として本願明細書では、多重化技術をサポートするそれらのツイントーンをq、そしてダイバーシチ技術をサポートするツイントーンをq’とする。更に、ダイバーシチ・モードの第１チャネルで接続トーンq'を経由して伝送さる信号を表す複素値を、時間信号時間信号tに対してa1[q’,t]とする。同様に更に、ダイバーシチ・モードの第２チャネルで接続トーンq'を経由して伝送される信号を表す複素値を、時間信号時間信号tに対してa２[q’,t]とする。上記の如く、ツイントーンがダイバーシチ・モードで作動する時には、同一の信号が接続チャネルのツイントーンを経由して送信されるようになる。従ってダイバーシチ・モードのツイントーンq'に対する複素値a1,a2は、全体としてa[q’,t]と表示され、下記のようになる。
【００３２】
【数１】
2007525071.tif 000003
従って、多重化モードの第1チャネルの接続トーンqを経由して送信される信号を表す複素値は、本願明細書では時間信号tに対してa１[q、t]となり、多重化モードの第２チャネルの接続トーンqを経由して送信される信号を表す複素値は、本願明細書では時間信号tに対してa２[q、t]となり、その他も同様である。上記の如く、異なる信号ストリームが、多重化モードにおいて作動しているツイントーンの各々のチャネルを経由して送信されることになる。従って、多重化モードにおいて送信される複数の複素値の関係は、以下のように理解される。
【数２】
2007525071.tif 000004
【００３３】
図示の例に示すように、接続チャネルの周波数スペクトルのトーンの一部または全ては、各チャネル処理パス220A、220Bの一つに割り当てられる。ダイバーシチ・モードに指定されたツイントーンのために、複素値a[q’,t]がステップ308で第1のチャネル処理パス220A、および第2のチャネル処理パス220Bの両方に提供され、チャネル110A、110Bの両方のチャネルを経由して処理され伝送される。また多重化モードに指定されたツイントーンqのために、複素値a１[q、t]がステップ310Aで、処理およびチャネル110A経由の伝送のために第1チャネル処理パスに提供され、複素値a２[q、t]がステップ310Bで、処理およびチャネル110B経由の伝送のために第２チャネル処理パスに提供さる。ステップ308、310A、および310Bは、接続チャネル110A、110Bの周波数スペクトルの部分的または全てのツイントーンのために各ツイントーンのオペレーティングモード（つまりダイバーシチ技術または多重化技術）に従って繰り返される。
【００３４】
次に314Aおよび314Bステップで、マッピング・モジュール204の出力が処理されて、それぞれチャネル110A/110Bの物理的媒体を経由して伝送するためにチャネル処理パス220A/220Bによって準備される。チャネル処理パス220A、220Bは、DMTベースの送信端末、OFDMベースの送信端末、および他の多重化技術送信システム、等の通常技術で実行することが出来る。通常、この処理には、以下を含む。：つまり例えばIFFTまたは類似した方法を使用するIFFTモジュール206A/206Bによって、周波数ドメインから時間ドメインへの変換である。IFFTモジュール206A/206Bの出力は、それからP/Sモジュール208A/208Bによってパラレル−シリアル変換が行われ、フィルタ210A/210Bによって波形フィルタリングまたは他のタイプのフィルタリングが行われる。結果データは、それからD/A変換器212A/212Bによりデジタル領域から伝送のためにアナログ領域へ変換され、低域フィルタ214A/214Bによりフィルタが掛けられる。そして結果として生成したアナログ信号は、316A、316Bステップでアナログ・フロントエンド216A/216Bへ供給され、ハイブリッド・インタフェース218A/218Bを経由してそれぞれ通信チャネル110A、110Bを経由して受信端末108に送信される。
【００３５】
次に図4および図5には本発明の少なくとも一つの実施例に係る、図1の受信端末108の例示的な実行処理、および受信端末108の例示的な動作500が例示されている。図示する実施例では受信端末108には、それぞれチャネル110A、110Bのチャネル処理パス430A、430Bが含まれている。チャネル処理パス430Aには、ハイブリッド・インタフェース402A、アナログ・フロントエンド404A、低域フィルタ406A、アナログ‐ディジタル（A/D）コンバータ408A、波形フィルタ410A、時間ドメイン・イコライザ412A、シリアル−パラレル（S/P）コンバータ414A、そして高速フーリエ変換（FFT）モジュール416Aが含まれる。同様に、チャネル処理パス430Bには、ハイブリッド・インタフェース402B、アナログ・フロントエンド404B、低域フィルタ406B、アナログ‐ディジタル（A/D）コンバータ408B、成形フィルタ410B、時間ドメイン・イコライザ412B、S/Pコンバータ414B、そしてFFTモジュール416Bが含まれる。
【００３６】
更に受信端末108には、ダイバーシチ・モード・トーンを処理するベクトル周波数イコライザ（FEQ）418A、および処理多重化モードベースのトーンを処理するマトリクスFEQ  418Bが含まれている。また受信端末108には、逆マッピング・モジュール420、そして送信端末106（図2参照）のエンコーダ202に供給するビット列を示すビット列を生成するためにマップを反転させ、FEQ  418A、418Bの出力を復号化するデコーダ422を含んでもよい。受信端末108のコンポーネントは、ソフトウェア、ハードウェア、ファームウェアまたはこれ等の組合せとして実行してもよい。送信端末106と同様に、ハイブリッド・インタフェース402A/402B、アナログ・フロントエンド404A/404B、低域フィルタ406A/406B、およびＡ／Ｄコンバータ408A/408Bは概してハードウェア・コンポーネントで実行し、これに対して、フィルタ410A/410B、TEQ  412A/412B、S/Pコンバータ414A/414B、FFT  416A/416B、ベクトルFEQ  418A、マトリクスFEQ  418B、逆マッピング・モジュール420、およびデコーダ422は、以下に記載する機能を実行する1または複数個のプロセッサを操作するのに適している１または複数セットの実行可能命令として実行してもよい。なお本発明によって意図するように、ハードウェアおよびソフトウェアの代替構成も実行可能であると理解されなければならない。
【００３７】
ツイン受信端末の時間ドメイン信号は、それらが一体として復調されるので、一般に整列配置されることを必要とすることは言うまでもない。従って受信端末108には追加的に、各々のチャネルの入力信号ストリームが他チャネルの信号ストリームと並列に処理されるように、受信端末のコンポーネントの一部または全てを同期させるマスタークロック424を含んでもよい。更にこのマスタークロック424は、PLLまたは他の適切な技術を使用する送信端末106（図2参照）のマスタークロック224によって同期してもよい。
【００３８】
図5には図1の受信端末108の例示的な動作500が示されている。ステップ502Aで、第1チャネル（チャネル110A）を経由して受信した信号は、信号特性などを改良するために、時間ドメインから周波数ドメインに変換するチャネル処理パス430Aによって前処理される。第2チャネル（チャネル110B）を経由して受信した信号も、チャネル処理パス430Bによって同じように前処理される。
【００３９】
チャネル処理パス430A、430Bは、一般的なDMTベースの受信端末、OFDMベースの受信端末および他の多重化技術受信システム、等の通常技術で実行することが出来る。この前処理は、チャネル処理パス220A、220B（図2参照）によって行われる逆又は補完的な処理となり、この前処理には例えば、同一チャネル経由の信号を同時に送受信してしまうという望ましくない効果を減らすか又は除去するハイブリッド・モジュール402A/402Bによる処理;アナログ・フロントエンド404A/404B（図2のアナログ・フロントエンド216A/216Bに類似している）による処理;低域フィルタ406A/406Bによるローパス・フィルタリング処理;Ａ／Ｄコンバータ408A/408Bによるアナログディジタル変換処理;そしてフィルタ410A/410Bによる波形フィルタリング処理、などが含まれる。
【００４０】
その後フィルタ410A/410Bの出力は、時間ドメイン・イコライザ（TEQ）412A/412Bで処理される。図4が各々のチャネルの処理を別々のTEQで例示する一方、通信チャネル110A、110Bは、クロス接続されており、従って、他通信チャネルに生じさせる通信干渉を減らすため、1つの通信チャネルの情報を使用するために、同じTEQで両方のチャネルを処理するので有利であることは言うまでもない。TEQ  412A/412Bの出力は、それからS/Pモジュール414A/414Bでシリアル・パラレル変換を受けることになる。順番に並べられた出力は、それからFFT処理または類似した処理を使用するFFTモジュール416A/416Bによって、時間ドメインから周波数ドメインに変換される。各々のチャネルへの結果として生成した処理された信号は、それからベクトルFEQ  418AおよびマトリクスFEQ  418Bの両方へ供給される。
【００４１】
ダイバーシチ・モードで作動している接続チャネル経由でパラに送信された信号は、概して2つ以上の接続チャネルのチャネルiでは、合成通信利得hi[q’]および合成通信妨害wi[q’,t]となり、この合成通信妨害は、計算式3および4で示すように、チャネル間のクロストークの結果と相関している。
【数３】
2007525071.tif 000005
【数４】
2007525071.tif 000006
【００４２】
従ってステップ504Aで、チャネル110A、110Bのx1[q’,t]、x２[q’,t]として本願明細書において表示される受信信号は、ベクトルFEQ関数g[q’,t]を用いたベクトルFEQ  418Aによって処理され、元々送信された複素値であるa[q’,t]の推定値a“[q’.t]を得ることが出来る。ベクトルFEQ418A、によって実行される処理は、数学的には以下のように示される。
【数５】
2007525071.tif 000007
【００４３】
ここでxTはxのカラムから列への変換値である。なお適切なベクトルFEQ関数g[q’.t]は、種々の技術、例えば最少平均二乗方法または最尤法、等のいずれかを使用して決定することができる。ベクトルFEQ関数g[q’,t]は、トレーニングの間、および／またはオペレーションの間に周期的に好ましくは得られ、推定値a“[q’.t]と送信された複素値a[q’.t]の差異が最少になるように選択される。
【００４４】
また、概して多重化モードにおいて作動しているチャネルを経由して送信される信号は、直通パス利得hii[q]およびチャネルiの複合信号障害w１[q’,t]となると認められる。そしてその信号は、概してj=1.nに対して“ツインFEXT”パス複素利得hij[q]となる。なおここで、nは、接続チャネルの数を示す。そしてその結果である受信信号xi[q、t]は、以下のようになる。
【数６】
2007525071.tif 000008
又は
【数７】
2007525071.tif 000009
なおここで
【数８】
2007525071.tif 000010
【数９】
2007525071.tif 000011
【数１０】
2007525071.tif 000012
となる。
【００４５】
したがって、ステップ504Bで、通信チャネル110A、110Bの本明細書で定義するx１[q,t]、x２[q,t]である受信信号に対する多重化モード・トーンは、それぞれマトリクスFEQ関数G[q（t）]を用いたマトリクスFEQ  418Bにより処理され、チャネルi経由で送信された複素値ai[q、t]の推定値a“[q’.t]が得られる。このマトリクスFEQ  418Bにより実行されたプロセスは数学的には以下のように表現される。
【数１１】
2007525071.tif 000013
【００４６】
ここでG[q,t]は、例えば最少平均二乗方法または最尤法のいずれかを使用して決定されることができる。またベクトルFEQ関数g[q’,t]に関しては、適切なマトリクスFEQ関数G[q（t）]が、例えば最少平均二乗方法または最尤法のような種々のテクニックを用いて決定することが出来る。さらにマトリクスFEQ関数G[q、t]は、好ましくはトレーニングの間、および／またはオペレーション中に周期的に得られ、その推定値a“i[q、t]と送信された複素値ai[q、t]が最小化されるように選択される。計算式１１で表されたこの処理により、概して、接続チャネルから生ずるFEXTを減少または除去することが出来る。しかしながらNEXTに関しては、同一サイドに配置された送信端末および受信端末の間の協調によって緩和することが可能である。
【００４７】
推定された複素値（送信された信号を示す）は、それから逆パッピング（ステップ506）とデコーディング（ステップ508）のために逆マッピング・モジュール420とデコーダ422へ送られ、送信端末106（図1参照）のエンコーダ202に供給されるビット列のビット列表示が生成される。好ましくは逆パッピング・モジュール420によって実行される逆のマッピング処理は、送信端末106のマッピング・モジュール204によって実行されるマッピング処理とコンパチブルである。同様に好ましくはデコーダ422によって実行される復号処理は、エンコーダ202によって実行されるエンコード処理とコンパチブルである。結果として生成されたビット列は、更にデータ受信側104（図1）または他のデバイス用に適切に処理することができる。
【００４８】
ここで、上述のように本開示事項に係るマルチ・チャネル、マルチ・トーン伝送の通信距離と通信レートを改善するテクニックは、ある範囲では入力データの処理と出力データの生成が含まれることに留意する必要がある。この入力データの処理と出力データの生成は、ハードウェアまたはソフトウェアで実行することができる。例えば、コンピュータおよび／または通信ネットワーク、または類似した関連した回路において、特定の電子部品を用いても、上記の開示事項によるマルチ・システム、マルチ・マルチ・トーン伝送に関連した機能を実行することが出来る。あるいは、記憶された命令群に従って稼動する一つ以上のプロセッサも、上記の開示事項よるマルチ・システム、マルチ・マルチ・トーン伝送に関連した機能を実行することが可能である。そのようなケースであっても、そのような命令群をプロセッサ読み込み可能な記憶媒体（例えば磁気ディスク）に記憶させたり、１または複数の信号でプロセッサに送信させるのも、本発明の権利範囲内である。
【００４９】
本発明の他の実施例、使用法および効果は、明細書を考慮し本発明を実施すれば、当業者には明らかである。本願明細書と添付図面は単に例示的であり、従って本発明の権利範囲は以下の特許請求の範囲とその均等の範囲の記載だけから判断されなければならない
【図面の簡単な説明】
【００５０】
【図１】本発明の一実施例に係る、per-tone(パートーン)ベースのダイバーシチ技術またはマルチ・チャネル技術を使用した、データ送信に用いられる例示的なマルチ・チャネルのマルチ・搬送ベース・システムに関するブロック図を示している。
【図２】本発明の一実施例に係る、per-tone(パートーン)ベースのダイバーシチ技術またはマルチ・チャネル技術を使用した、データ送信に用いられる例示的なマルチ・チャネルのマルチ・搬送ベース・送信端末に関するブロック図を示している。
【図３】本発明の一実施例に係る、図２に示した送信端末の例示的動作を示すフローチャートを示している。
【図４】本発明の一実施例に係る、per-tone(パートーン)ベースのダイバーシチ技術またはマルチ・チャネル技術を使用した、データ送信に用いられる例示的なマルチ・チャネルのマルチ・搬送ベース・受信端末に関するブロック図を示している。
【図５】本発明の一実施例に係る、図４に示した受信端末の例示的動作を示すフローチャートを示している。
【図１】
2007525071.tif 000014
【図２】
2007525071.tif 000015
【図３】
2007525071.tif 000016
【図４】
2007525071.tif 000017
【図５】
2007525071.tif 000018
【国際調査報告】
2007525071.tif 000019
2007525071.tif 000020